(57)【要約】【課題】衝撃に対する強度を高めることができるレンズ鏡筒及びカメラシステムを提供する。【解決手段】レンズ鏡筒は、ベース部材３と、貫通孔を有し、ベース部材３に突出して取り付けられる柱状部材８と、貫通孔を貫通し、ベース部材３に柱状部材８を締結する締結部材６とを備え、柱状部材８は、ベース部材３と嵌合する嵌合面８ａと、嵌合面８ａと同一面で形成され、ベース部材３の外側に延出した補強部８ｂとを有する。【選択図】図２
2007233107.tif 000002
【特許請求の範囲】
【請求項１】
ベース部材と、
貫通孔を有し、前記ベース部材に突出して取り付けられる柱状部材と、
前記貫通孔を貫通し、前記ベース部材に前記柱状部材を締結する締結部材とを備え、
前記柱状部材は、前記ベース部材と嵌合する嵌合面と、前記嵌合面と同一面で形成され、前記ベース部材の外側に延出した補強部とを有すること、
を特徴とするレンズ鏡筒。
【請求項２】
請求項１に記載のレンズ鏡筒において、
前記柱状部材と係合するカム溝を有するカム部材と、
前記ベース部材に保持されるレンズとを備えること、
を特徴とするレンズ鏡筒。
【請求項３】
請求項１又は請求項２に記載のレンズ鏡筒において、
前記柱状部材は、大径部及び小径部を有する円柱形状であり、
前記大径部は、前記嵌合面及び前記補強部を含むこと、
を特徴とするレンズ鏡筒。
【請求項４】
請求項２又は請求項３に記載のレンズ鏡筒において、
前記柱状部材は、前記カム溝と係合する係合部材を有すること、
を特徴とするレンズ鏡筒。
【請求項５】
請求項４に記載のレンズ鏡筒において、
前記補強部は、前記係合部材を位置決めしていること、
を特徴とするレンズ鏡筒。
【請求項６】
請求項４又は請求項５に記載のレンズ鏡筒において、
前記締結部材は、前記係合部材の抜けを防止していること、
を特徴とするレンズ鏡筒。
【請求項７】
請求項１から請求項６までのいずれか１項に記載のレンズ鏡筒において、
前記ベース部材は、外力が直接作用する部材であること、
を特徴とするレンズ鏡筒。
【請求項８】
請求項１から請求項７までのいずれか１項に記載のレンズ鏡筒を備えるカメラシステム。
【発明の詳細な説明】
【技術分野】
【０００１】
本発明は、レンズ鏡筒及びカメラシステムに関するものである。
【背景技術】
【０００２】
特許文献１は、レンズ装置に設けられるカム機構において、カム従動子に設けられるカム用ローラを非円形状に形成し、周方向に付勢することによって、カム従動子のガタつきを防止できるカム機構を開示している。
このカム従動子は、その一部がレンズ保持枠に嵌合し、ねじ部によってレンズ保持枠に固定されているが、カム従動子に衝撃が加わった場合には、カム従動子の軸部が折れてしまう可能性があった。
【特許文献１】特開２００２−３１８３３７号公報
【発明の開示】
【発明が解決しようとする課題】
【０００３】
本発明の課題は、衝撃に対する強度を高めることができるレンズ鏡筒及びカメラシステムを提供することである。
【課題を解決するための手段】
【０００４】
本発明は、以下のような解決手段により前記課題を解決する。なお、理解を容易にするために、本発明の一実施例を示す図面に対応する符号を付して説明するが、これに限定されるものではない。
請求項１の発明は、ベース部材（３）と、貫通孔を有し、前記ベース部材（３）に突出して取り付けられる柱状部材（８）と、前記貫通孔を貫通し、前記ベース部材（３）に前記柱状部材（８）を締結する締結部材（６）とを備え、前記柱状部材（８）は、前記ベース部材（３）と嵌合する嵌合面（８ａ）と、前記嵌合面（８ａ）と同一面で形成され、前記ベース部材（３）の外側に延出した補強部（８ｂ）とを有すること、を特徴とするレンズ鏡筒（１０）である。
請求項２の発明は、請求項１に記載のレンズ鏡筒（１０）において、前記柱状部材（８）と係合するカム溝（１ａ）を有するカム部材（１）と、前記ベース部材（３）に保持されるレンズ（４）とを備えること、を特徴とするレンズ鏡筒（１０）である。
請求項３の発明は、請求項１又は請求項２に記載のレンズ鏡筒（１０）において、前記柱状部材（８）は、大径部（８１）及び小径部（８２）を有する円柱形状であり、前記大径部（８１）は、前記嵌合面（８ａ）及び前記補強部（８ｂ）を含むこと、を特徴とするレンズ鏡筒（１０）である。
請求項４の発明は、請求項２又は請求項３に記載のレンズ鏡筒（１０）において、前記柱状部材（８）は、前記カム溝（１ａ）と係合する係合部材（７）を有すること、を特徴とするレンズ鏡筒（１０）である。
請求項５の発明は、請求項４に記載のレンズ鏡筒（１０）において、前記補強部（８ｂ）は、前記係合部材（７）を位置決めしていること、を特徴とするレンズ鏡筒（１０）である。
請求項６の発明は、請求項４又は請求項５に記載のレンズ鏡筒（１０）において、前記締結部材（６）は、前記係合部材（７）の抜けを防止していること、を特徴とするレンズ鏡筒（１０）である。
請求項７の発明は、請求項１から請求項６までのいずれか１項に記載のレンズ鏡筒（１０）において、前記ベース部材（３）は、外力が直接作用する部材であること、を特徴とするレンズ鏡筒（１０）である。
請求項８の発明は、請求項１から請求項７までのいずれか１項に記載のレンズ鏡筒（１０）を備えるカメラシステム（１００）である。
なお、符号を付して説明した構成は適宜改良してもよく、また、少なくとも一部を他の構成物に代替してもよい。
【発明の効果】
【０００５】
本発明によれば、衝撃に対する強度を高めることができるレンズ鏡筒及びこれを備えるカメラシステムを提供することができる。
【発明を実施するための最良の形態】
【０００６】
衝撃に対する強度を高めることができるレンズ鏡筒及びカメラシステムを提供するという目的を、移動枠と嵌合する嵌合面と、嵌合面と同一面で形成され、移動枠の外側に延出した補強部とを有する中間部材とすることにより実現する。
【実施例】
【０００７】
以下、図面等を参照して、本発明の実施例について、さらに詳しく説明する。
図１は、本発明によるレンズ鏡筒の実施例を示す図であり、図２は、カム従動子５付近の拡大図である。
本実施例のレンズ鏡筒１０は、回転部材１と、固定部材２と、移動枠３と、合焦光学系４と、カム従動子５等とを備える。
【０００８】
回転部材１は、円筒状の部材であり、後述するカラー部材７と係合する螺旋状のカム溝１ａを有する。また、回転部材１は、ズーム環やマニュアルフォーカス環等の操作部材（不図示）や、モータ等の動力源（不図示）により動力が伝えられて回転運動を行う。
固定部材２は、第１レンズＬ１及び第２レンズＬ２を保持する部材であり、光軸Ｏに平行な直進溝２ａと、カメラ１００と結合を行うバヨネット２ｂとを有する。
移動枠３は、合焦光学系４を保持する部材であり、後述する中間部材８と嵌合するための穴部３ａを有する。また、移動枠３は、固定部材２よりも前方に突出しているため、このレンズ鏡筒１０の前面部に衝撃が加えられた場合には、外力が直接作用する部材である。
合焦光学系４は、ピント合わせを行うためのレンズである。
【０００９】
カム従動子５は、カム溝１ａと直進溝２ａとに係合して設けられ、回転部材１が回転することで発生する動力を移動枠３に伝える部材である。カム従動子５は、回転部材１の回転によって回転力が加わると、直進溝２ａにより回転方向の運動が規制されているため、カム溝１ａに従って光軸Ｏに平行な方向に移動する。
また、カム従動子５は、段付ねじ６と、カラー部材７と、中間部材８とによって構成される。
段付ねじ６は、中間部材８の貫通孔を貫通し、移動枠３にカム従動子５を締結する部材である。また、段付ねじ６は、カラー部材７の抜けを防止している。
カラー部材７は、カム溝１ａと直進溝２ａとに係合する部材であり、例えば、潤滑性を有するアセタール樹脂であるデルリン（登録商標）等によって構成され、耐摩耗性を増大させている。
中間部材８は、移動枠３に突出して取り付けられ、段付きねじ６に加わる曲げによる衝撃を緩和させる円柱形状の部材であり、段付ねじ６を貫通させるための貫通孔を有し、金属等によって構成される。
【００１０】
また、中間部材８は、図２に示すように、移動枠３の穴部３ａと嵌合する嵌合面８ａと、嵌合面８ａと同一面で形成され移動枠３の外側に延出した補強部８ｂとを有する。
さらに、中間部材８は、大径部８１及び小径部８２を有し、大径部８１は、嵌合面８ａ及び補強部８ｂを含む。補強部８ｂは、移動枠３とカラー部材７とが接触しないように、カラー部材７を位置決めしている。中間部材８に、カラー部材７と段付きねじ６とを取り付けることによって、回転部材１と移動枠３とが連動して動作するようになり、回転部材１の回転によって、移動枠３が光軸Ｏに平行な方向に移動するようになる。
【００１１】
実際に、回転部材１を回転させると、カム従動子５は、回転部材１の駆動力を移動枠３に伝えようとするので、段付きねじ６は、曲げや剪断による力を受ける。
また、回転部材１の回転速度は、必ずしも一定ではないため、段付きねじ６に、大きな衝撃がかかる場合もある。
【００１２】
しかし、本実施例のレンズ鏡筒１０によれば、中間部材８を移動枠３の穴部３ａと嵌合させることにより、中間部材８と移動枠３との接触面積が増大し、中間部材８の底面部だけでなく、側面部でも衝撃を吸収することができるので、段付きねじ６のねじ部への衝撃が低減され、耐衝撃性が向上する。これにより、レンズ鏡筒１０の耐久性を向上させることができる。
また、本実施例の構成は、移動枠３に穴部３ａを形成し、中間部材８を若干長めに製造するだけでよく、新たな部材の追加は不要であり、コストアップすることなく耐衝撃性を向上させることができる。
【００１３】
さらに、本実施例のレンズ鏡筒１０では、嵌合面８ａと同一面で形成された補強部８ｂが、移動枠３の外側に延出しているので、嵌合面８ａと補強部８ｂとが一体となって、衝撃を受けることができる。
さらにまた、補強部８ｂが存在するので、移動枠３の外周面の端部３ｂの角が中間部材８にくい込むようなことがない。
【００１４】
図３は、レンズ鏡筒の比較例を示す図であり、図４は、カム従動子１５付近の拡大図である。
なお、本実施例と同様な機能を果たす部分は、重複する説明を適宜省略する。
図３に示すように、比較例のレンズ鏡筒１０Ａでは、中間部材１８は、移動枠１３と嵌合していない。
移動枠１３は、その表面が円筒面であるので、図４に示すように、平面を確保するための座繰り面部３ｃが形成されており、中間部材１８は、その座繰り面部３ｃに設置されている。
【００１５】
このため、例えば、レンズ鏡筒１０Ａの前面部に加えられた衝撃がカム従動子１５に伝わった際には、中間部材１８の底面部のみで衝撃力を吸収することになり、段付きねじ６のねじ部が損傷しやすく、好ましくない。
この対策として、中間部材１８の底面部の面積を大きくして、段付きねじ６の強度を向上させることも考えられるが、小型化したレンズ鏡筒では、スペースとの兼ね合いで、底面部の面積を大きくすることができない状況にあった。
また、段付きねじ６自体を太くして、強度を向上させることも考えられるが、このようにすると、カム溝１ａの幅が広がってしまい、好ましくない。
これに対して、本実施例のレンズ鏡筒１０は、中間部材８の嵌合面８ａ及び補強部８ｂによって、このような問題を解決することができる。
【００１６】
（変形例）
本実施例は、以下の変形も可能である。
（１）本実施例では、合焦光学系４を移動させる例で説明したが、これに限らず、ズーム光学系、レンズ群、反射鏡等を移動させるものであってもよい。
（２）カラー部材７と中間部材８とは、一体化された部材であってもよい。
（３）中間部材８は、円柱形状の部材の例で説明したが、多角柱形状の部材であってもよい。
（４）段付きねじ６は、通常のねじや、ボルト等であってもよい。
（５）本実施例では、レンズ鏡筒の例で説明したが、このようなレンズ鏡筒を備えるカメラシステムであってもよい。
なお、上述した実施例及び変形例は、適宜組み合わせて用いることもできるが、詳細な説明は省略する。また、本発明は、以上説明した実施例によって限定されることはない。
【図面の簡単な説明】
【００１７】
【図１】本発明によるレンズ鏡筒の実施例を示す図である。
【図２】カム従動子５付近の拡大図である。
【図３】レンズ鏡筒の比較例を示す図である。
【図４】カム従動子１５付近の拡大図である。
【符号の説明】
【００１８】
１：回転部材、１ａ：カム溝、２：固定部材、２ａ：直進溝、２ｂ：バヨネット、３：移動枠、３ａ：穴部、３ｂ：外周面の端部、４：合焦光学系、５：カム従動子、６：段付ねじ、７：カラー部材、８：中間部材、８ａ：嵌合面、８ｂ：補強部、８１：大径部、８２：小径部、１０：レンズ鏡筒、１００：カメラ、Ｌ１：第１レンズ、Ｌ２：第２レンズ、Ｏ：光軸
【図１】
2007233107.tif 000003
【図２】
2007233107.tif 000004
【図３】
2007233107.tif 000005
【図４】
2007233107.tif 000006